【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
通信システムにおける送信部がネットワークリソースを割り当てる方法であって、
１つのアセットに対する送信特性を示すパラメータ値を含むアセット配信特性（ＡＤＣ）メッセージを生成するステップと、
前記生成されたＡＤＣメッセージを送信するステップとを有し、
前記生成されたＡＤＣメッセージは、前記アセットに対して周期的に又は非周期的にアップデートされることを特徴とする、ネットワークリソースを割り当てる方法。
【請求項２】
前記生成されたＡＤＣメッセージに新たなバージョン値をタギングし、前記新たなバージョン値を有する前記生成されたＡＤＣメッセージの有効期間を設定するステップをさらに有することを特徴とする、請求項１に記載のネットワークリソースを割り当てる方法。
【請求項３】
前記送信するステップは、
前記生成されたＡＤＣメッセージを中間ノードに送信するステップであることを特徴とする請求項１に記載のネットワークリソースを割り当てる方法。
【請求項４】
前記パラメータ値は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項１に記載のネットワークリソースを割り当てる方法。
【請求項５】
通信システムにおける中間ノードがネットワークリソースを割り当てる方法であって、
１つのアセットに対する送信特性を示すパラメータ値を含むアセット配信特性（ＡＤＣ）メッセージを受信するステップと、
前記ＡＤＣメッセージが前に受信されたＡＤＣメッセージと異なる場合に、前記ＡＤＣメッセージに基づいて前記ＡＤＣメッセージで要求されるネットワークリソースの量を確認するステップと、
予め予約されたネットワークリソースの量と前記確認されたネットワークリソースの量とを比較することにより使用可能なネットワークリソースの量を推定するステップと、
前記推定された使用可能なネットワークリソースの量を他のトラフィックに割り当てるステップとを有し、
前記ＡＤＣメッセージは、前記１つのアセットに対して周期的に又は非周期的にアップデートされることを特徴とする、ネットワークリソースを割り当てる方法。
【請求項６】
前記確認するステップは、
前記ＡＤＣメッセージに含まれたバージョン値が前記前に受信されたＡＤＣメッセージに含まれたバージョン値に対して変更されたか否かを確認するステップと、
前記ＡＤＣメッセージに含まれたバージョン値が変更された場合には、前記ＡＤＣメッセージに含まれた前記パラメータ値及び前記ＡＤＣメッセージの有効期間を確認するステップと、
前記パラメータ値に基づいて前記ＡＤＣメッセージの有効期間の間に前記ＡＤＣメッセージで要求されるネットワークリソースの量を確認するステップとを含むことを特徴とする、請求項１に記載のネットワークリソースを割り当てる方法。
【請求項７】
前記推定するステップは、
前記予め予約されたネットワークリソースの量と前記確認されたネットワークリソースの量とを比較することにより、前記ＡＤＣメッセージの有効期間の間に前記使用可能なネットワークリソースの量を推定するステップであることを特徴とする、請求項６に記載のネットワークリソース割り当てる方法。
【請求項８】
前記パラメータ値は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする請求項５に記載のネットワークリソースを割り当てる方法。
【請求項９】
前記ＡＤＣメッセージを受信部に送信するステップをさらに有することを特徴とする、請求項５に記載のネットワークリソースを割り当てる方法。
【請求項１０】
通信システムにおける受信部がネットワークリソースを割り当てる方法であって、
１つのアセットに対する送信特性を示すパラメータ値を含むアセット配信特性（ＡＤＣ）メッセージを受信するステップと、
前記受信された少なくとも１つのＡＤＣメッセージに基づいて前記アセットに対するバッファの量を推定するステップとを有し、
前記ＡＤＣメッセージは、前記１つのアセットに対して周期的に又は非周期的にアップデートされることを特徴とする、ネットワークリソースを割り当てる方法。
【請求項１１】
前記パラメータ値は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項１０に記載のネットワークリソースを割り当てる方法。
【請求項１２】
通信システムにおいてネットワークリソースを割り当てる送信装置であって、
１つのアセットに対する送信特性を示すパラメータ値を含むアセット配信特性（ＡＤＣ）メッセージを生成する制御部と、
前記生成されたＡＤＣメッセージを送信する送信部とを有し、
前記生成されたＡＤＣメッセージは、前記アセットに対して周期的に又は非周期的にアップデートされることを特徴とする、
ネットワークリソースを割り当てる送信装置。
【請求項１３】
前記制御部は、
前記生成されたＡＤＣメッセージに新たなバージョン値をタギングし、前記新たなバージョン値を有する前記生成されたＡＤＣメッセージの有効期間を設定することを特徴とする、請求項１２に記載のネットワークリソースを割り当てる送信装置。
【請求項１４】
前記送信部は、
前記生成されたＡＤＣメッセージを中間ノードに送信することを特徴とする、請求項１２に記載のネットワークリソースを割り当てる送信装置。
【請求項１５】
前記パラメータ値は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項１２に記載のネットワークリソースを割り当てる送信装置。
【請求項１６】
通信システムにおいてネットワークリソースを割り当てる中間ノードであって、
１つのアセットに対する送信特性を示すパラメータ値を含むアセット配信特性（ＡＤＣ）メッセージを受信する受信部と、
前記ＡＤＣメッセージが前に受信されたＡＤＣメッセージと異なる場合に、前記ＡＤＣメッセージに基づいて前記ＡＤＣメッセージで要求されるネットワークリソースの量を確認し、予め予約されたネットワークリソースの量と前記確認されたネットワークリソースの量とを比較することにより使用可能なネットワークリソースの量を推定し、前記推定された使用可能なネットワークリソースの量を他のトラフィックに割り当てる制御部とを有し、
前記ＡＤＣメッセージは、前記１つのアセットに対して周期的に又は非周期的に受信されることを特徴とする、ネットワークリソースを割り当てる中間ノード。
【請求項１７】
前記制御部は、
前記ＡＤＣメッセージに含まれたバージョン値が前記前に受信されたＡＤＣメッセージに含まれたバージョン値に対して変更されたか否かを確認し、
前記ＡＤＣメッセージに含まれたバージョン値が変更された場合には、前記ＡＤＣメッセージに含まれた前記パラメータ値及び前記ＡＤＣメッセージの有効期間を確認し、
前記パラメータ値に基づいて前記ＡＤＣメッセージの有効期間の間に前記ＡＤＣメッセージで要求されるネットワークリソースの量を確認することを特徴とする、請求項１６に記載のネットワークリソースを割り当てる中間ノード。
【請求項１８】
前記制御部は、
前記予め予約されたネットワークリソースの量と前記確認されたネットワークリソースの量とを比較することにより、前記ＡＤＣメッセージの有効期間の間に前記使用可能なネットワークリソースの量を推定することを特徴とする、請求項１７に記載のネットワークリソースを割り当てる中間ノード。
【請求項１９】
前記パラメータ値は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項１６に記載のネットワークリソースを割り当てる中間ノード。
【請求項２０】
通信システムにおいてネットワークリソースを割り当てる受信装置であって、
１つのアセットに対する送信特性を示すパラメータ値を含むアセット配信特性（ＡＤＣ）メッセージを受信する受信部と、
前記受信された少なくとも１つのＡＤＣメッセージに基づいて前記アセットに対するバッファの量を推定する制御部とを有し、
１つのＡＤＣメッセージは、前記１つのアセットに対して周期的に又は非周期的に受信されることを特徴とする、ネットワークリソースを割り当てる受信装置。
【請求項２１】
前記パラメータ値は、持続送信速度（sustainable_rate）、バッファサイズ（buffer_size）、最大送信速度（peak_rate）、最大ＭＦＵサイズ（max_MFU_size）、及び１つのＭＦＵ期間（MFU_period）のうちの少なくとも１つを含むことを特徴とする、請求項２０に記載のネットワークリソースを割り当てる受信装置。
【手続補正２】
【補正対象書類名】明細書
【補正対象項目名】００６３
【補正方法】変更
【補正の内容】
【００６３】
送信部は、ステップ１００９において、ＡＤＣアップデートモードがＭＰＣ基盤モードである場合に、所定のＭＰＵグループの送信特性を示す値でＡＤＣメッセージをアップデートし、ステップ１０１０において、現在のＡＤＣメッセージが何番目のＭＰＵシーケンスまで有効な情報であるかをＡＤＣメッセージ内にアップデートする。送信部は、ＡＤＣアップデートモードが非周期的なアップデートモードである場合に、ＡＤＣシグナリング情報の有意味の増加のために必要とされる時に、ステップ１０１３において、意味ある時間間隔（非周期性）毎にアセット送信特性を示す値でＡＤＣメッセージをアップデートし、ステップ１０１５において、現在のＡＤＣメッセージがいつまで有効な情報であるかを示す有効期間をＡＤＣメッセージ内にアップデートする。
【手続補正３】
【補正対象書類名】明細書
【補正対象項目名】００８１
【補正方法】変更
【補正の内容】
【００８１】
中間ノードは、ステップ１４１３において、サブＡＤＣシグナリング情報の時間期間情報又はＭＰＵ／ＭＦＵとのマッピング情報を通して、時間期間毎に又はＭＰＵ／ＭＦＵに従って必要とされる実際のリソースの量を導出する。中間ノードは、ステップ１４１５において、ＡＤＣメッセージからマッピングされたアセット毎に必要とされる実際のリソースの量をすべて加算することにより、時間期間毎に又はＭＰＵ／ＭＦＵに従って実際に必要とされるリソースの量に対する総合計Ｔ'を計算する。
【手続補正４】
【補正対象書類名】図面
【補正対象項目名】図１３
【補正方法】変更
【補正の内容】
【図１３】
2017516349.tif 000001